(57)【要約】【課題】  吊りボルト等の棒状体に対する取り付け作業が容易で、支持される長尺物の引っ張り等による脱落が発生しにくくする。【解決手段】  基部２１の第１の係合部２２を挟んで第２の係合部２３の反対側の端部から延設され、弾性変形により基部の一面２１ａ側から反対面側へ傾動可能な傾動片３０と、傾動片３０の一面側で軸線Ｌの一方の側方に突設された突起３２とを有し、棒状体に取り付ける際の基部２１の回動時に棒状体の外周部に突起３２を押されて基部２１の反対面側に退避し、棒状体が第１の係合部２２および第２の係合部２３に係合したとき弾性復帰して突起３２を棒状体の側部に当接させ、基部２１の取り付け時と逆方向の回動を阻止する第３の係合部３０を設けた。【選択図】        図１
2006105194.tif 000002
【特許請求の範囲】
【請求項１】
基部と、
取り付け対象の棒状体の外周形状に対応する内周形状を有し、前記基部の一面側でその長手方向に沿った軸線の一方の側方から前記棒状体の中間部を受け入れて該棒状体に外接係合する第１の係合部と、
前記棒状体の外周形状に対応する内周形状を有し、前記第１の係合部から少なくとも前記棒状体の太さ以上離間した位置で、前記軸線の他方の側方から前記棒状体の中間部を受け入れて該棒状体に外接係合する第２の係合部と、
前記基部の反対面側に設けられ、長尺物を受け入れて支持するための長尺物支持部とを有し、
前記第１の係合部と前記第２の係合部との隙間を前記棒状体の中間部が通過する状態から前記基部を所定方向に回動させることで、前記第１の係合部および前記第２の係合部が前記棒状体の中間部に係合して、該棒状体に取り付けられる長尺物支持具において、
前記基部の前記第１の係合部を挟んで前記第２の係合部の反対側の端部から延設され、弾性変形により前記基部の一面側から反対面側へ傾動可能な傾動片と、該傾動片の一面側で前記軸線の前記一方の側方に突設された突起とを有し、前記棒状体に取り付ける際の前記基部の回動時に前記棒状体の外周部に前記突起を押されて前記基部の反対面側に退避し、前記棒状体が前記第１の係合部および前記第２の係合部に係合したとき弾性復帰して前記突起を前記棒状体の側部に当接させ、前記基部の取り付け時と逆方向の回動を阻止する第３の係合部を設けたことを特徴とする長尺物支持具。
【請求項２】
取り付け対象の棒状体は外周にネジ溝を有しており、
前記第１の係合部、前記第２の係合部および前記第３の係合部の少なくとも一つの前記棒状体の外周部に接する壁面には該棒状体のネジ溝に螺合するネジ山が形成されていることを特徴とする請求項１記載の長尺物支持具。
【請求項３】
前記長尺物支持部は、
前記基部の反対面の一端側から、該基部に対して離間する方向に延びて、該基部の反対面の他端側に近接する位置に戻るよう環状に形成され、且つその先端部が内方へ弾性変形できるように形成されていることを特徴とする請求項１または請求項２記載の長尺物支持具。
【発明の詳細な説明】
【技術分野】
【０００１】
本発明は、例えばビル、工場、その他の建造物等において、吊りボルト等の棒状体に取り付けられて、ケーブル、金属管、可撓管等の長尺物を支持するための長尺物支持具において、棒状体に対する取り付け作業が容易で、且つ、外力による外れが起こりにくくするための技術に関する。
【背景技術】
【０００２】
ビル、工場、その他の建造物等において、ケーブル、金属管、可撓管等の長尺物を配線、配管する際に、その建造物の梁に多数取り付けられている吊りボルトに対して支持具を取り付け、その支持具によって長尺物を支持させている。
【０００３】
この種の支持具としては、作業を効率的に行えるように、吊りボルトに対する取り付けが容易に行える必要がある。
【０００４】
吊りボルトに対して工具を用いることなく簡単な手作業で取り付けできる構造は従来から種々あるが、その主な一つの構造として、次の特許文献１のような構造のものが知られている。
【０００５】
【特許文献１】特開２００３−３４８７３９号公報
【０００６】
図１４は、この特許文献１の支持具の構造を示す図である。
この図１４に示しているように、支持具３の固定部４は、縦長矩形平板状の基部４ａと、基部４ａの一面側の上下に突設された２つのフック部４ｂ、４ｃを有している。
【０００７】
上側のフック部４ｂは、基部４ａの長手方向（上下方向）に沿った軸線Ｌに対して、その一方の側方（図では左側方）から取り付け対象の吊りボルトの中間部を受け入れることができるように、左側部が開口された半円筒状に形成されている。
【０００８】
また、下部のフック部４ｃは、上部のフック部４ｂに対して吊りボルトの外径以上離れた位置に設けられ、軸線Ｌに対してその他方の側方（図では右側方）から取り付け対象の吊りボルトの中間部を受け入れることができるように、右側部が開口された半円筒状に形成されている。
【０００９】
２つのフック部４ｂ、４ｃの内周は軸線Ｌと同心で、内径は取り付け対象の吊りボルトの外径より僅かに小さく設定されている。
【００１０】
一方、基部４ａの反対面側には、ケーブル等を支持するための支持部５が設けられている。この支持部５は、基部４ａの反対面側に一面側を接する帯板状の基板５ａと、基板５ａの中央部に突設され、固定部４の基部４ａの中央に設けられている軸孔４ｄに逆止的に挿着された軸５ｂと、基板５ａの反対面側に平行に立設された複数の支持片５ｃとを有しており、固定部４に対して軸５ｂを中心に回動できるようになっている。
【００１１】
このような構造の支持具３は、図１５の（ａ）のように、吊りボルト１が上下２つのフック部４ｂ、４ｃの間を通過し、その外周部が基部４ａの一面側に当接するように押し当てて、所定方向（図１５では反時計回り）に回転させると、フック部４ｂ、４ｃの開口された側部に吊りボルト１がそれぞれ進入して、両フック部４ｂ、４ｃを押し広げながらその内側に入り込んで、図１５の（ｂ）のように、吊りボルト１が両フック部４ｂ、４ｃに内接する状態となる。
【００１２】
これにより、支持具３は吊りボルト１に対して回転自在に取り付けられ、図１６のように、支持部５を適当な向きとなるように設定してから、その複数の支持片５ｃの間にケーブル等の長尺物２を挿入して支持させる。
【発明の開示】
【発明が解決しようとする課題】
【００１３】
しかしながら、上記したように、上下に離間し互いに逆向きの２つのフック部４ｂ、４ｃと吊りボルト１との係合のみで吊りボルトに取り付けられる構造の支持具３では、支持されている長尺物２が、例えば図１６の矢印Ａ方向に引っ張られると、固定部４に対し取り付け時と逆方向の回転力が生じて、図１７のように、吊りボルト１に対するフック部４ｂ、４ｃの係合が解除されて、支持具３が脱落してしまうという問題があった。
【００１４】
これを防ぐ方法として、両フック部４ｂ、４ｃの弾性を小さくしたり、側部の開口幅を小さくすることが考えられるが、これでは、取り付け時に強い回転力が必要となり、取り付け作業が困難となる。
【００１５】
本発明は、この問題を解決し、吊りボルト等の棒状体に対する取り付け作業が容易で、支持される長尺物の引っ張り等による脱落が発生しにくい長尺物支持具を提供することを目的としている。
【課題を解決するための手段】
【００１６】
前記目的を達成するために、本発明の長尺物支持具は、
基部と、
取り付け対象の棒状体の外周形状に対応する内周形状を有し、前記基部の一面側でその長手方向に沿った軸線の一方の側方から前記棒状体の中間部を受け入れて該棒状体に外接係合する第１の係合部と、
前記棒状体の外周形状に対応する内周形状を有し、前記第１の係合部から少なくとも前記棒状体の太さ以上離間した位置で、前記軸線の他方の側方から前記棒状体の中間部を受け入れて該棒状体に外接係合する第２の係合部と、
前記基部の反対面側に設けられ、長尺物を受け入れて支持するための長尺物支持部とを有し、
前記第１の係合部と前記第２の係合部との隙間を前記棒状体の中間部が通過する状態から前記基部を所定方向に回動させることで、前記第１の係合部および前記第２の係合部が前記棒状体の中間部に係合して、該棒状体に取り付けられる長尺物支持具において、
前記基部の前記第１の係合部を挟んで前記第２の係合部の反対側の端部から延設され、弾性変形により前記基部の一面側から反対面側へ傾動可能な傾動片と、該傾動片の一面側で前記軸線の前記一方の側方に突設された突起とを有し、前記棒状体に取り付ける際の前記基部の回動時に前記棒状体の外周部に前記突起を押されて前記基部の反対面側に退避し、前記棒状体が前記第１の係合部および前記第２の係合部に係合したとき弾性復帰して前記突起を前記棒状体の側部に当接させ、前記基部の取り付け時と逆方向の回動を阻止する第３の係合部を設けたことを特徴としている。
【００１７】
また、本発明の請求項２の長尺物支持具は、請求項１記載の長尺物支持具において、
取り付け対象の棒状体は外周にネジ溝を有しており、
前記第１の係合部、前記第２の係合部および前記第３の係合部の少なくとも一つの前記棒状体の外周部に接する壁面には該棒状体のネジ溝に螺合するネジ山が形成されていることを特徴としている。
【００１８】
また、本発明の請求項３の長尺物支持具は、請求項１または請求項２記載の長尺物支持具において、
前記長尺物支持部は、
前記基部の反対面の一端側から、該基部に対して離間する方向に延びて、該基部の反対面の他端側に近接する位置に戻るよう環状に形成され、且つその先端部が内方へ弾性変形できるように形成されていることを特徴としている。
【発明の効果】
【００１９】
上記のように構成したため、本発明の長尺物支持具では、従来と同様の簡単な回動操作により棒状体へ取り付けることができ、しかも、その取り付け時に第３の係合部が棒状体に対して逆止的に係合して、取り付け時の回動方向と逆方向の回動を阻止するので、長尺物支持部で支持している長尺物が引っ張られても、棒状体に対する支持具の係合が解除される恐れはない。
【発明を実施するための最良の形態】
【００２０】
以下、図面に基づいて本発明の実施の形態を説明する。
図１〜図４は、本発明の実施形態の長尺物支持具２０（以下、単に支持具２０と記す）の構造を示している。
【００２１】
この支持具２０は合成樹脂で一体成形されており、その基部２１は縦長の帯状に形成されている。基部２１の一面２１ａ側には、取り付け対象の棒状体として前記した吊りボルトに係合するための第１の係合部２２と第２の係合部２３とが基部２１の長手方向（図では縦方向）に離間した状態で突設されている。
【００２２】
上部側の第１の係合部２２は、取り付け対象の吊りボルトの外周形状（円筒形）に対応する内周形状を有し、基部２１の一面２１ａ側でその長手方向に沿った軸線Ｌ（仮想線）の一方の側方（図１において左側方）から吊りボルト１の中間部を受け入れてその吊りボルト１に外接係合する略半円筒形に形成されている。
【００２３】
また、下部側の第２の係合部２３は、第１の係合部２２から少なくとも吊りボルト１の太さ以上離間した位置で軸線Ｌについて第１の係合部２２と対称に形成されている。即ち、吊りボルト１の外周形状（円筒形）に対応する内周形状を有し、軸線Ｌの他方の側方（図１において右側）から吊りボルト１の中間部を受け入れて外接係合する略半円筒形に形成されている。
【００２４】
第１の係合部２２と第２の係合部２３の内周は軸線Ｌと同心で、その内周径は、吊りボルト１の外周径より僅かに小さく設定され、軸線Ｌを中心とする内周の中心角が１８０°を僅かに超えるように形成されている。
【００２５】
また、第１の係合部２２と第２の係合部２３の内周壁２２ａ、２３ａの奥側には、吊りボルトの外周に形成されているネジ溝に螺合するネジ山２５、２６がそれぞれ形成されている。
【００２６】
基部２１の第１の係合部２２を挟んで第２の係合部２３の反対側の端部、即ち、図１、２における基部２１の上端部には、第３の係合部３０が設けられている。
【００２７】
第３の係合部３０は、弾性変形しやすいように基部２１より薄く形成され、基部２１の上端部からほぼ同一幅で上方に延び、基部２１の一面２１ａ側からの力を受けて基部２１の反対面２１ｂ側へ傾く傾動片３１と、その傾動片３１の一面３１ａ側で前記軸線Ｌの一方の側方（この例では左側方）に突設された突起３２とを有している。
【００２８】
突起３２の軸線Ｌと反対側の外壁面３２ａは、傾動片３１からの高さが上方に向かう程（第１の係合部２２から離れる程）高く、且つ軸線Ｌに近づく程高くなるように凸曲面状に形成され、軸線Ｌ側の内壁面３２ｂは傾動片３１と直交するように形成されている。突起３２の内壁面３２ｂには、吊りボルトのネジ溝に螺合するネジ山３３が形成されている。
【００２９】
なお、傾動片３１のうち、突起３２によって厚さが増している部分の剛性は高く弾性変形しないため、突起３２を介して受けた力による傾動の中心は基部２１側の縁部近傍となり、この部分をヒンジ部として基部２１の反対面２１ｂ側へ傾くことになる。
【００３０】
一方、基部２１の反対面２１ｂ側には、ケーブルや管などの長尺物を受け入れて支持するための長尺物支持部４０が設けられている。
【００３１】
長尺物支持部４０は、基部２１の反対面２１ｂの一端側（下端側）から、基部２１に対して離間する方向に延びて、基部２１の反対面２１ｂの他端側（上端側）に近接する位置に戻るように環状に形成され、且つ少なくともその先端部が内方へ弾性変形できるように形成されている。
【００３２】
さらに詳述すれば、この実施形態の長尺物支持部４０は、基部２１とほぼ同一幅、同一厚さで基部２１の反対面２１ｂの下端よりやや上部の位置から斜め下方へ直線的に延びた傾斜片４１と、傾斜片４１の先端から折り返されて基部２１の反対面２１ｂの下端に連続して横向き３角筒状の高い剛性を有する補強部を形成する底片４２と、傾斜片４１の先端から基部２１の反対面２１ｂの上部に近い位置まで半円状に延びた半円筒片４３と、半円筒片４３より狭い幅で且つ薄く形成され、半円筒片４３の先端中央から基部２１の反対面２１ｂの上部に漸近するように屈曲され、外側から力を受けて内方へ弾性変形する舌片４４とを有している。
【００３３】
この舌片４４は、内方へ押されて弾性変形して基部２１との隙間をひろげ、支持対象の長尺物の受け入れを容易にするとともに、外方へ押されて弾性変形して基部２１との隙間を狭め、受け入れた長尺物の抜けを防ぐ。
【００３４】
また、半円筒片４３の外周中央には、受け入れた長尺物の重さによる半円筒片４３の開きを防ぐための補強リブ４５が底片４２に連続するように形成されている。
【００３５】
また、傾斜片４１、底片４２および基部２１の下部に囲まれて形成された３角柱状の穴はその中央に立設された仕切板４６により左右に仕切られている。
【００３６】
次に、上記構成の支持具２０の使用方法について説明する。
始めに、図５のように、支持具２０を横向きにして、取り付け対象の吊りボルト１の中間部が第１の係合部２２と第２の係合部２３の隙間を通過する状態まで基部２１の一面２１ａに押し当てて、第１の係合部２２と第２の係合部２３の開口された側部が吊りボルト１の外周部に近づく方向（図５において反時計回り）に回動させる。
【００３７】
この回動により、吊りボルト１が第１の係合部２２と第２の係合部２３を僅かに押し開くようにしてその内側へ入り込み、図６のように、吊りボルト１の外周が第３の係合部３０の突起３２の外周下端に当接する。
【００３８】
支持具２０をさらに回動すると、吊りボルト１の外周に接している突起３２を介して傾動片３１に基部２１の反対面２１ｂ側への押圧力が生じ、この押圧力を受けた傾動片３１が、図７のように基部２１の反対面２１ｂ側へ傾く。
【００３９】
前記したように突起３２の高さは上方に向かう程高くなっているので、支持具２０の回動につれて傾動片３１の傾きも大きくなり、図８のように、突起３２の上部先端が吊りボルト１の外周に当接したとき、その傾きが最大となる。
【００４０】
そして、図８の状態から支持具２０をさらに回動させて、図９のように、吊りボルト１が第１の係合部２２と第２の係合部２３の内側に完全に入り込んだ状態にすると、吊りボルト１は第３の係合部３０の突起３２の右側方位置まで達し、吊りボルト１の外周と突起３２の先端との当接が解除される。
【００４１】
このため、第３の係合部３０に対する押圧力がなくなり、傾動片３１は弾性復帰力により基部２１の一面２１ａ側へ回動して、基部２１と面一の状態に復帰し、突起３２の内壁面３２ｂと吊りボルト１の外周面とがほぼ接した状態となる。
【００４２】
この状態で支持具２０は、吊りボルト１に対してその上下方向に沿った３カ所を交互に逆方向から挟んだ状態で係合して取り付けられたことになる。
【００４３】
また、この取り付け状態において、第１の係合部２２、第２の係合部２３および第３の係合部３０の各ネジ山２５、２６、３３が、吊りボルト１のネジ溝（図示せず）に螺合する。
【００４４】
したがって、この支持具２０を、吊りボルト１を中心に回転させることで、取り付け高さ位置を調整することができる。
【００４５】
このようにして支持具２０を吊りボルト１に取り付けて高さ位置を調整した後、図１０の（ａ）に示すように、ケーブルや配管等の支持対象の長尺物２を、長尺部支持部４０の舌片４４の上から押し込むと、図１０の（ｂ）のように、舌片４４が内方へ弾性変形し、基部２１の反対面２１ｂとの隙間が広がって長尺物２が長尺部支持部４０の内側に案内され、その長尺物２が吊りボルト１と交差した状態に支持されることになる。
【００４６】
ここで、例えば図１１のように、長尺部支持部４０に支持された長尺物２がその長手方向Ａに引っ張られると、支持具２０に対し、吊りボルト１に取り付ける際の回動方向と逆方向に回動させる力が加わるが、支持具２０は、上下に並んだ３つの係合部２２、２３、３０によって、吊りボルト１に対してその上下方向に沿った３カ所を交互に逆方向から挟んだ状態で係合して取り付けられており、しかも、第３の係合部３０は、吊りボルト１に対し逆止的に係合している。したがって、長尺物２から受けた力によって、支持具２０の吊りボルト１に対する係合が解除される恐れはない。
【００４７】
また、この支持具２０を吊りボルト１から取り外す際には、図１２のように、第３の係合部３０を基部２１の反対面２１ｂ側に押して（あるいは引いて）、突起３２の先端が基部２１の一面２１ａから突出しない状態にして、吊りボルト１に対する第３の係合部３０の係合状態を解除する。
【００４８】
そして、この状態から支持具２０を取り付け時と逆方向に回動させることにより、図６に示した状態とし、さらに回動して吊りボルト１と第１の係合部２２および第２の係合部２３との係合を解除して図５に示した状態にすれば、支持具２０を吊りボルト１から離脱することができる。
【００４９】
この実施形態の支持具２０の長尺物支持部４０では、帯板状の半円筒片４３の平坦な内周面で長尺物２を支持する面支持構造であり、前記した舌片４４によってナイロンバンド等による結束を行わなくても長尺物２が抜ける恐れがないので、長尺物２を強く圧迫することなく支持できる。
【００５０】
また、結束の必要がないので、前記した長尺物２が引っ張られたときの力が支持具２０に伝わりにくく、たとえ伝わったとしても、前記したように第３の係合部３０によって係合を解除する方向の回動が阻止されるので、外れ事故が発生しない。
【００５１】
また、長尺物支持部４０の基部２１に対する連結部分が、前記したように横向き３角柱状に補強され、半円筒片４３も補強リブ４５により補強されているので、変形することなく、多数の長尺物を安定に支持できる。
【００５２】
なお、上記実施形態の支持具２０では、取り付け状態において基部２１の上端側に第３の係合部３０を設けていたが、３つの係合部の上下関係を逆にして、取り付け状態において基部２１の下端側に第３の係合部３０を設けてもよい。
【００５３】
また、上記実施形態の支持具２０では、第１〜第３の係合部２２、２３、３０に吊りボルト１のネジ溝に螺合するネジ山をそれぞれ２つずつ設けていたが、これは本発明を限定するものではなく、各係合部のネジ山の数を増せば、支持する長尺物の重さによる下方への移動をより強力に防止でき、重量のある長尺物の支持を安定に行うことができる。
【００５４】
また、吊りボルト１に対する支持具２０の取り付け高さ位置の調整を可能にし、支持する長尺物の重さによる下方への移動を防止するためには、３つの係合部の少なくとも一つの内壁にネジ山を設ければよい。
【００５５】
また、図１３のように、仕切板４６に結束バンドの挿通が可能な貫通穴５０を設けておけば、結束バンドを併用することができる。
【００５６】
また、長尺物支持部４０の構造についても上記実施例の構造に限定されるものではない。例えば、長尺物支持部４０の全体の外形を上記のような円筒状から角筒状にしてもよく、種々の変形が可能である。
【図面の簡単な説明】
【００５７】
【図１】本発明の実施形態の斜視図
【図２】本発明の実施形態の斜視図
【図３】本発明の実施形態の左側面図
【図４】本発明の実施形態の右側面図
【図５】実施形態の支持具の使用方法を説明するための図
【図６】実施形態の支持具の使用方法を説明するための図
【図７】実施形態の支持具の使用方法を説明するための図
【図８】実施形態の支持具の使用方法を説明するための図
【図９】実施形態の支持具の使用方法を説明するための図
【図１０】実施形態の支持具の使用方法を説明するための図
【図１１】実施形態の支持具の使用方法を説明するための図
【図１２】実施形態の支持具の使用方法を説明するための図
【図１３】実施形態の支持具の変形例を示す図
【図１４】従来の支持具の構造を示す図
【図１５】従来の支持具の使用方法を説明するための図
【図１６】従来の支持具の使用方法を説明するための図
【図１７】従来の支持具に取り付け時と逆方向の力が加わったときの状態を示す図
【符号の説明】
【００５８】
１……吊りボルト
２……長尺物
２０……長尺物支持具
２１……基部
２２……第１の係合部
２３……第２の係合部
２５、２６、３３……ネジ山
３０……第３の係合部
３１……傾動片
３２……突起
４０……長尺物支持部
４１……傾斜片
４２……底片
４３……半円筒片
４４……舌片
４５……補強リブ
４６……仕切板
【図１】
2006105194.tif 000003
【図２】
2006105194.tif 000004
【図３】
2006105194.tif 000005
【図４】
2006105194.tif 000006
【図５】
2006105194.tif 000007
【図６】
2006105194.tif 000008
【図７】
2006105194.tif 000009
【図８】
2006105194.tif 000010
【図９】
2006105194.tif 000011
【図１０】
2006105194.tif 000012
【図１１】
2006105194.tif 000013
【図１２】
2006105194.tif 000014
【図１３】
2006105194.tif 000015
【図１４】
2006105194.tif 000016
【図１５】
2006105194.tif 000017
【図１６】
2006105194.tif 000018
【図１７】
2006105194.tif 000019